(57)【要約】【課題】光源の熱のみならず、光源駆動回路の熱をも、内視鏡を使用する術者以外の方向に確実に放熱することができる構成を有する内視鏡を提供する。【解決手段】挿入部内または操作部内に設けられた、被検体を照射する照明光を供給するＬＥＤと、挿入部内または操作部内に設けられた、被検体の被検部位を撮像する撮像素子と、操作部に接続された、撮像素子により撮像された被検部位の内視鏡画像が表示されるモニタ部２１と該モニタ部２１を保持する外装部材４ｇとを具備する映像表示装置４と、表示装置４内に設けられた、ＬＥＤに電力を供給して、ＬＥＤにおける照明光の供給を駆動する給電制御回路３０と、映像表示装置４におけるモニタ部２１が配設される外装部材４ｇの配設面４ｈに対向する背面４ｂに形成された、給電制御回路３０から発熱された熱を放熱させる放熱部とを具備していることを特徴とする。【選択図】図９
2008011992.tif 000002
【特許請求の範囲】
【請求項１】
被検体に挿入される細長な挿入部と、
前記挿入部の基端側に連設された操作部と、
前記挿入部内または前記操作部内に設けられた、前記被検体を照射する照明光を供給する照明手段と、
前記挿入部内または前記操作部内に設けられた、前記被検体の被検部位を撮像する撮像手段と、
前記操作部に接続された、前記撮像手段により撮像された前記被検部位の内視鏡画像が表示される表示部と該表示部を保持する枠体とを具備する表示装置と、
前記挿入部内と前記操作部内と前記表示装置内とのいずれかに設けられた、前記照明手段に電力を供給して、前記照明手段における前記照明光の供給を駆動する光源駆動回路と、
前記表示装置における前記表示部が配設される前記枠体の配設面に対向する背面に形成された、前記光源駆動回路から発熱された熱を放熱させる放熱部と、
を具備していることを特徴とする内視鏡。
【請求項２】
前記光源駆動回路は、前記表示装置内における前記表示部の背面側に設けられていることを特徴とする請求項１に記載の内視鏡。
【請求項３】
前記光源駆動回路は、前記表示装置内における前記枠体の前記背面に設けられていることを特徴とする請求項２に記載の内視鏡。
【請求項４】
前記操作部内または前記表示装置内には、前記撮像手段により撮像された前記内視鏡画像を記録する記録手段がさらに設けられており、
前記枠体の前記配設面には、前記記録手段に記録する前記内視鏡画像を静止画または動画に設定する切替スイッチと、前記記録手段に前記内視鏡画像の記録を指示するスイッチと、前記表示装置に前記内視鏡画像の表示を指示するスイッチと、前記挿入部と前記操作部と前記表示装置とを具備する内視鏡本体の電源のオンオフを指示するスイッチとのすくなくとも１つが設けられていることを特徴とする請求項１〜３のいずれか１項に記載の内視鏡。
【請求項５】
前記枠体の前記配設面には、溝が形成されており、
前記溝に、前記表示部を構成する表示部材と該表示部材の表示面を覆うカバー部材とが嵌入されて配設されていることを特徴とする請求項１〜４のいずれか１項に記載の内視鏡。
【請求項６】
前記表示装置は、前記操作部に対し、前記表示部が前記挿入部の挿入軸方向を指向する位置と該挿入軸方向と直交する方向を指向する位置との間において、前記表示装置の前記操作部への接続部に形成された回動軸により回動自在に接続されていることを特徴とする請求項１〜５のいずれか１項の記載の内視鏡。
【請求項７】
前記回動軸の内部の空間において、少なくとも前記光源駆動回路から前記照明手段まで延出されたケーブルが挿通されていることを特徴とする請求項６に記載の内視鏡。
【請求項８】
前記光源駆動回路は、前記撮像手段により撮像された前記内視鏡画像を、前記表示装置に表示するよう画像処理する画像処理回路をさらに有していることを特徴とする請求項１〜７のいずれか１項に記載の内視鏡。
【請求項９】
前記操作部内に、前記照明手段が配置される照明手段配置空間と、前記挿入部の先端と前記操作部とに開口をそれぞれ有する流体管路における前記操作部内の部位が挿通される流体管路挿通孔とが形成された、少なくとも前記照明手段配置空間と前記流体管路挿通孔との間が伝熱部材により形成された照明手段固定部材が設けられていることを特徴とする請求項１〜８のいずれか１項に記載の内視鏡。
【発明の詳細な説明】
【技術分野】
【０００１】
本発明は、撮像手段によって撮像された内視鏡画像が表示される表示装置が操作部に接続された内視鏡に関する。
【背景技術】
【０００２】
従来、内視鏡の光源としては、内視鏡が接続される周辺装置である光源装置に内蔵された光源ランプが周知である。光源装置から内視鏡に照明光が供給される際は、光源ランプから発光された照明光が、内視鏡内に延在されたライトガイドファイバによって、内視鏡のユニバーサルコードから操作部を介して挿入部の先端まで伝達された後、挿入部の先端から被検部位に照射される。
【０００３】
また、近年、内視鏡と周辺装置とにより構成される内視鏡装置全体の簡略化を図る目的で、光源を発光ダイオードから構成し、該発光ダイオードが、内視鏡内に設けられるとともに、内視鏡画像が表示される表示装置が操作部に接続された構成を有する内視鏡が周知である。
【０００４】
発光ダイオードから構成された光源が内視鏡内に設けられておれば、内視鏡に接続される光源装置が不要となるため、内視鏡装置を簡略化できる他、発光ダイオードは、光源ランプ等に比べ省電力により発光させることができることから、内視鏡装置の省電力化を図ることができる。また、表示装置が操作部に接続されておれば、内視鏡に別途接続されるモニタ装置が不要となるため、内視鏡装置を簡略化することができる。
【０００５】
さらに、内視鏡内には、例えば表示装置に備えられたバッテリから供給される電力を、発光ダイオードの定格電流に調整して、発光ダイオードに対して印加する光源駆動回路である発光ダイオード駆動回路も設けられている。
【０００６】
ところで、通常、使用後の内視鏡の外表面は洗浄されることから、内視鏡は、水密構造を有している。即ち、内視鏡の内部は、管路等の開口を除き、外装部材により閉塞されている。また、内視鏡全体を軽量化するため、内視鏡の外装部材は、プラスチック製の外装部材により形成されているのが一般的である。
【０００７】
しかしながら、プラスチック製の外装部材により覆われた内視鏡内の、例えば操作部内の密閉空間において発光ダイオードが発光し、さらに発光ダイオード駆動回路が駆動し続けると、プラスチック製の外装部材は伝熱性が低いため、発光ダイオードが、発光ダイオードの発光及び発光ダイオード駆動回路の駆動によって操作部内の密閉空間内に放熱された熱により劣化してしまい、発光ダイオードの寿命が低下してしまうといった問題がある。
【０００８】
そこで、従来は、プラスチック製の外装部材の放熱効率と発光ダイオードの寿命とを考慮し、定格よりも低い電力で発光ダイオードを発光させざるを得ないといった事情がある。
【０００９】
このような事情に鑑み、特許文献１においては、光源である小型照明ランプを内視鏡の挿入部の先端部内に配設し、小型照明ランプに電力を供給する光源駆動回路である発光制御回路を内視鏡の操作部に配設して、小型照明ランプと発光制御回路とを異なる空間に配設することにより、小型照明ランプからの放熱位置と、発光制御回路からの放熱位置とを異ならせて、即ち、放熱箇所を分散させることにより、局所的な放熱を防ぎながら、内視鏡全体から熱を放熱させる構成が開示されている。
【００１０】
また、特許文献２においては、内視鏡の操作部の光源装着口に装着される光源装置内において、光源であるＬＥＤランプと光源駆動回路である定電流源とを離間させて配置させることにより、ＬＥＤランプからの放熱位置と、定電流源からの放熱位置とを異ならせて、局所的な放熱を防ぐ構成が開示されている。
【特許文献１】特開平９−２８５４４３号公報
【特許文献２】特開２００２−１１２９５３号公報
【発明の開示】
【発明が解決しようとする課題】
【００１１】
ところで、通常、術者は、内視鏡の操作部を把持し、表示装置の表示部を見ながら、内視鏡を用いた作業を行うのが一般的である。よって、上述した内視鏡内に配設された発光ダイオードや発光ダイオード駆動回路から熱を放熱する際は、術者の作業の妨げにならないよう、術者を回避した方向に熱を放熱させる必要がある。
【００１２】
しかしながら、特許文献１及び特許文献２に開示された構成においては、放熱方向が考慮されていないため、光源及び光源駆動回路から放熱された熱が、術者に向けて放熱されてしまう場合があるため、術者による内視鏡作業が、放熱された熱の暑さにより行い難くなってしまうといった問題があった。
【００１３】
このような問題に鑑み、光源の熱を、流体が通過する管路、例えば送気管路を介して、術者を回避する方向、例えば体腔内に放熱する構成も周知ではあるが、光源駆動回路からの熱を、術者を回避する方向に放熱する構成に関しては、何ら考慮がなされていない。
【００１４】
本発明は、上記問題点に鑑みなされたものであり、光源の熱のみならず、光源駆動回路の熱をも、内視鏡を使用する術者以外の方向に確実に放熱することができる構成を有する内視鏡を提供することを目的とする。
【課題を解決するための手段】
【００１５】
上記目的を達成するため本発明による内視鏡は、被検体に挿入される細長な挿入部と、前記挿入部の基端側に連設された操作部と、前記挿入部内または前記操作部内に設けられた、前記被検体を照射する照明光を供給する照明手段と、前記挿入部内または前記操作部内に設けられた、前記被検体の被検部位を撮像する撮像手段と、前記操作部に接続された、前記撮像手段により撮像された前記被検部位の内視鏡画像が表示される表示部と該表示部を保持する枠体とを具備する表示装置と、前記挿入部内と前記操作部内と前記表示装置内とのいずれかに設けられた、前記照明手段に電力を供給して、前記照明手段における前記照明光の供給を駆動する光源駆動回路と、前記表示装置における前記表示部が配設される前記枠体の配設面に対向する背面に形成された、前記光源駆動回路から発熱された熱を放熱させる放熱部と、を具備していることを特徴とする。
【発明の効果】
【００１６】
本発明によれば、光源の熱のみならず、光源駆動回路の熱をも、内視鏡を使用する術者以外の方向に確実に放熱することができる構成を有する内視鏡を提供することができる。
【発明を実施するための最良の形態】
【００１７】
以下、図面を参照して本発明の実施の形態を説明する。尚、以下の実施の形態においては、内視鏡は、医療用の内視鏡を例に挙げて説明する。
【００１８】
図１は、本発明の一実施の形態を示す内視鏡の斜視図、図２は、図１の内視鏡を図１の背面側から見た部分斜視図、図３は、図１の内視鏡の映像表示装置が回転自在な状態を示す部分拡大平面図、図４は、図１の内視鏡の映像表示装置の平面図である。
【００１９】
図１に示すように、内視鏡１の内視鏡本体１ｂは、被検体となる体腔内の被検部位に挿入される挿入部２と、該挿入部２の基端側に連設された操作部３と、該操作部３の上端に接続された表示装置である映像表示装置４とにより主要部が構成されている。
【００２０】
挿入部２は、可撓性を有する細長な形状に形成されており、先端側に位置する硬質な先端部５と、該先端部５の基端側に連設された湾曲部６と、該湾曲部６の基端側に連設された可撓部７とにより主要部が構成されている。
【００２１】
操作部３は、術者が内視鏡１を把持する際、術者により把持される把持部８と、該把持部８の基端側に設けられた操作部本体９とにより主要部が構成されている。
【００２２】
把持部８は、術者の例えば左手の親指Ｔ（図３参照）と左手のその他の指とによって包み込んで握ることができる形状、例えば棒状に外装が形成されている。尚、把持部８は、術者によって右手で握ることができる形状に形成されていても構わない。
【００２３】
また、把持部８には、内視鏡１の内部に延在された後述する吸引管路１００（図５、図６参照）に鉗子等の処置具を挿抜することにより、体腔内に対し処置具を挿抜する処置具挿通口１０が、内視鏡１の背面１ｈ側に設けられている。
【００２４】
図２に示すように、操作部本体９の内視鏡１の背面１ｈ側には、体腔内から体液や痰等の液体を吸引する際用いられる吸引口金１１が設けられている。
【００２５】
吸引口金１１には、図示しないチューブを介して吸引装置が接続自在である。術者は、吸引装置を作動させ、後述する吸引ボタン１１ａ（図２参照）を操作することにより、後述する図６に示すように、一端１００ｔが操作部本体９に開口され他端１００ｓが先端部５の先端面５ｓに開口されるよう操作部３及び挿入部２内に延在された、流体管路である吸引管路１００を介して、体腔内から体液や痰等を吸引することができる。
【００２６】
尚、吸引管路１００内の流路に、チューブを挿入し、該チューブに対し、吸引口金１１において、体腔内に空気を送気する送気装置を接続自在としても構わない。
【００２７】
また、操作部本体９の図１中左側には、内視鏡１の漏水検査の際に、挿入部２及び操作部３内に空気を送気するために用いられる通気口金１２が設けられている。
【００２８】
通気口金１２には、図示しないチューブを介して給気装置が接続自在である。術者は、給気装置を作動させ、水中にて通気口金１２から内視鏡１内に空気を送り込むことにより、内視鏡１の漏水検査を行うことができる。
【００２９】
また、通気口金１２には、内視鏡１を、滅菌処理や航空機輸送する等、陰圧下に放置する際、内視鏡１の部品、例えば先端部５の外周を被覆する図示しないゴムが陰圧により破裂することがないよう、内視鏡１の内部を大気解放させる図示しないキャップ等が着脱自在となっている。
【００３０】
さらに、操作部本体９の内視鏡１の前面１ｚ側には、湾曲操作ワイヤ６０（図５参照）を介して、湾曲部６を、例えば上下の方向に湾曲させるための湾曲操作レバー１３が設けられている。
【００３１】
湾曲操作ワイヤ６０は、一端が湾曲部６内の図示しない湾曲駒の先端または先端部５に固定され、他端が操作部３内に配設された図示しないプーリ等に固定されて、挿入部２及び操作部３内に延在されている。
【００３２】
湾曲操作レバー１３は、把持部８を握った術者の、例えば左手の親指Ｔによって操作できるよう、把持部８に対し近接する位置に設けられている。また、湾曲操作レバー１３は、操作部本体９の内視鏡１の前面１ｚ側に位置された指掛部１３ａと、該指掛部１３ａに連設された腕部１３ｂとから構成されたＬ字型形状を有している。
【００３３】
湾曲操作レバー１３においては、操作部本体９を図１中左右方向に貫通する回動軸１４に、腕部１３ｂが回動自在に軸支されることにより、指掛部１３ａが操作部本体９の所定位置に設けられている。
【００３４】
また、図２に示すように、操作部本体９の内視鏡１の背面１ｈ側には、映像表示装置４に表示されている映像を、後述する記録制御回路３１（図６参照）の記録媒体に記録させる際オンされる画像記録スイッチ１５ａと、その記録した画像を再生する際オンされる画像再生スイッチ１５ｂとから構成された画像スイッチ１５が設けられている。  
また、操作部本体９の内視鏡１の背面１ｈ側であって画像スイッチ１５の近傍には、上述した吸引ボタン１１ａが設けられている。
【００３５】
さらに、把持部８内には、被検体を照射する照明光を供給する照明手段である、例えば白色の発光ダイオード（以下、ＬＥＤと称す）１６が、後述する手段により配設されており、さらに、操作部本体９内には、被検部位を撮像する撮像手段であるＣＣＤ、ＣＭＯＳ等から構成された撮像素子１７が配設されている。
【００３６】
映像表示装置４は、箱型である略直方体形状をした装置本体１８と、該装置本体１８の一辺の角部から平面を形成するように内視鏡１の前面１ｚ側に延出した指掛部であるチルトレバー１９とにより外形が形成されている。
【００３７】
映像表示装置４の後述する外装部材４ｇの配設面４ｈ（いずれも図７、図９参照）を構成する装置本体１８の上面には、図４に示すように、撮像素子１７により撮像された内視鏡画像を表示する表示部であるモニタ部２１と、電源オン時に点灯するＰＯＷＥＲ表示灯２３と、内視鏡本体１ｂの電源をオンオフする電源スイッチ２２とが設けられている。
【００３８】
また、映像表示装置４の外装部材４ｇの配設面４ｈを構成するチルトレバー１９の上面には、記録する内視鏡画像を静止画に設定する際オンされる静止画像記録切替スイッチ２４と、記録する内視鏡画像を動画に設定する際オンされる動画像記録切替スイッチ２５とが設けられている。
【００３９】
尚、静止画像記録切替スイッチ２４、動画像記録切替スイッチ２５は、装置本体１８の上面に設けられていても構わないし、電源スイッチ２２も、チルトレバー１９の上面に設けられていても構わない。
【００４０】
また、装置本体１８の上面またはチルトレバー１９の上面には、上述した画像記録スイッチ１５ａと画像再生スイッチ１５ｂとが設けられていても構わない。
【００４１】
また、図１に示すように、装置本体１８の内視鏡１の前面１ｚ側の面には、バッテリ３４及び図示しないメモリーカード等の記憶媒体を、装置本体１８内の図示しない収容部へ収容させる、または収容部から脱却させるための開閉自在な蓋体２６が配設されている。
【００４２】
装置本体１８に配設されるこれらの構成要素は、水密構造を有しており、特に、開閉する蓋体２６は、固定爪２６ａとバックルレバー２６ｂとによって、装置本体１８の収容部に対して、確実な水密構造を有している。
【００４３】
映像表示装置４は、装置本体１８と操作部本体９との後述する接続部１２０（図７参照）において、図１中左右方向に貫通されて設けられた後述する回動軸５５により、図３に示すように、モニタ部２１が、挿入部２の挿入軸方向Ｊである上面を指向する方向の位置と、挿入軸方向Ｊと略直交する方向Ｐである内視鏡１の前面１ｚ側を指向する方向の位置との間において回動自在となっている。
【００４４】
映像表示装置４の回動は、チルトレバー１９が、把持部８を掴んだ術者の、例えば左手の親指Ｔの腹によって回動されることにより行われる。尚、チルトレバー１９の上面には、複数の凸部である滑り止め２０（図３参照）が形成されている。
【００４５】
次に、操作部３にＬＥＤ１６を配設する構成について、図５を用いて説明する。図５は、図１の内視鏡の操作部の内部の構成を概略的に示す部分拡大断面図である。
【００４６】
図５に示すように、操作部３の把持部８の外装部材３ｇにより水密的に閉塞された内部には、外装部材３ｇの内視鏡１の前面１ｚ側及び背面１ｈ側に沿って、半円状に形成された板状の伝熱性フレームである金属フレーム８０が互いに対向するよう挿入軸方向Ｊに延在されている。各金属フレーム８０は、外装部材３ｇの内面に固定された各介装プレート８１にビス９５により固定されている。
【００４７】
また、対向する金属フレーム８０間の空間には、吸引管路１００と、イメージガイド３８と、湾曲操作ワイヤ６０と、ライトガイドファイバが結束されて形成されたライトガイドバンドル３５とが延在されており、また、バッテリ３４から供給された電力を、ＬＥＤ１６に伝達するため後述する給電制御回路３０（図６参照）からＬＥＤ１６まで延出されたケーブル３０ｓも延在されている。
【００４８】
さらに、対向する金属フレーム８０間の空間には、取り付け部材であるビス９０により、発光手段固定部材７０が固定されている。
【００４９】
尚、発光手段固定部材は、従来、湾曲操作ワイヤ６０の外周に被覆されるコイルが突き当てられることにより、湾曲操作ワイヤ６０が固定される部材として用いられているものである。本実施の形態の発光手段固定部材７０は、従来用いられていた発光手段固定部材よりも大きく形成されている。
【００５０】
発光手段固定部材７０は、図５に示すように、例えば中実な略円柱状の部材から形成されており、例えばアルミや真鍮等の伝熱部材により形成されている。また、発光手段固定部材７０には、挿入軸方向Ｊに沿って、貫通孔７０ａ〜７０ｅ（貫通孔７０ｃのみ図示されず）がそれぞれ形成されている。尚、発光手段固定部材７０は、貫通孔７０ａと貫通孔７０ｂとの間のみが、伝熱部材により形成されていても構わない。
【００５１】
貫通孔７０ａは、本発明の管状部材挿通孔を構成しており、貫通孔７０ａには、把持部８内に延在された流体管路である吸引管路１００の部位が、貫通孔７０ａの内周に密着するよう挿通されている。
【００５２】
貫通孔７０ｂは、本発明の発光手段配置空間を構成しており、後述するＬＥＤベース７６が配設される大径の孔と、ライトガイドバンドル３５及びケーブル３０ｓが挿通される小径の孔とにより段付き孔に形成されている。
【００５３】
貫通孔７０ｂの小径の孔には、給電制御回路３０から延出されたケーブル３０ｓの端部側が挿通されるとともに、ライトガイドバンドル３５の一端面側や、該一端面に突き当たるよう配設されたＬＥＤ１６が挿通されている。
【００５４】
また、貫通孔７０ｂの大径の孔には、ライトガイドバンドル３５の一端面にＬＥＤ１６が突き当たるようＬＥＤ１６が固定された金属製のＬＥＤベース７６が挿通されている。尚、ＬＥＤベース７６には、ケーブル３０ｓの端部が接続された図示しない基板等が配設されている。また、ＬＥＤベース７６は、貫通孔７０ｂの大径の孔の内周に密着するよう固定されている。
【００５５】
貫通孔７０ｃには、イメージガイド３８が挿通されており、貫通孔７０ｄ、７０ｅには、湾曲操作ワイヤ６０の上述したコイルが突き当てられ、湾曲操作ワイヤ６０が挿通されている。
【００５６】
次に、図６〜図９を用いて、内視鏡１の撮像系と照明光学系とを主体とした内部の構成を説明する。図６は、図１の内視鏡の内部の構成を撮像系と照明光学系とを主体として概略的に示す図、図７は、図３中のVII-VII線に沿う操作部の一部と映像表示装置との断面図である。
【００５７】
また、図８は、図７中のVIII-VIII線に沿う映像表示装置の断面図、図９は、図７中のIX-IX線に沿う映像表示装置の断面図である。
【００５８】
図６に示すように、映像表示装置４の枠体である外装部材４ｇによって水密的に閉塞された内部４ｉには、上述したモニタ部２１及びバッテリ３４の他に、光源駆動回路である給電制御回路３０と記録手段である記録制御回路３１と表示素子制御回路３２と撮像手段である撮像素子制御回路３３とが設けられている。
【００５９】
ここで、映像表示装置４の外装部材４ｇの配設面４ｈには、図９に示すように、凹状の溝４ｍが、平面的な大きさが、上述したモニタ部２１の大きさと略同じになるよう形成されている。
【００６０】
また、溝４ｍに、表示部材であるＬＣＤ等の表示素子（以下、ＬＣＤと称す）２１Ｌと、該ＬＣＤ２１Ｌの表示面２１ＬＨを覆う透明なカバー部材２１Ｃとが嵌入されて配設されている。尚、ＬＣＤ２１Ｌとカバー部材２１Ｃとは、モニタ部２１を構成している。即ち、外装部材４ｇは、モニタ部２１を保持している。
【００６１】
さらに、図６に示すように、内視鏡１の内部における挿入部２から操作部３の把持部８までには、上述したライトガイドバンドル３５と、イメージガイド３８とが延在されている。
【００６２】
また、先端部５から操作部本体９までには、上述した吸引管路１００が延在されており、さらに、湾曲部６から操作部本体９までには、上述した湾曲操作ワイヤ６０（図６では図示されず）が延在されている
把持部８内に設けられた、ＬＥＤ１６からの照明光は、把持部８内に、ＬＥＤ１６に突き当てられるよう位置するライトガイドバンドル３５の一端面に照射される。
【００６３】
その後、照明光は、ライトガイドバンドル３５の一端面から、先端部５に位置するライトガイドバンドル３５の他端面まで伝達された後、先端部５におけるライトガイドバンドル３５の他端面の先端側に設けられた照明レンズ３６により、体腔内の被検部位５０に向けて所定の範囲に照射される。
【００６４】
照明光により照射された被検部位５０からの反射光による像は、先端部５に設けられた撮像レンズ４０及び対物レンズ３９を介して、イメージガイド３８の他端に入射された後、イメージガイド３８の一端まで伝達される。その後、反射光による像は、イメージガイド３８の一端から、操作部本体９内に設けられた集光レンズ３７を介して、撮像素子１７に結像される。
【００６５】
給電制御回路３０は、図９に示すように、映像表示装置４の内部４ｉにおいて、モニタ部２１よりも外装部材４ｇの背面４ｂ側の平面空間であって、背面４ｂとは非接触となるよう配設されている。尚、この際、外装部材４ｇの背面４ｂは、給電制御回路３０から発熱された熱を放熱させる放熱部を構成している。
【００６６】
給電制御回路３０は、バッテリ３４から供給された電力を、ＬＥＤ１６と撮像素子１７とモニタ部２１と記録制御回路３１と表示素子制御回路３２と撮像素子制御回路３３との各々に対し、各回路に対応した駆動電力を出力する。
【００６７】
尚、操作部３内に配設された撮像素子１７、ＬＥＤ１６へは、図７、図８に示すように、操作部３と映像表示装置４との接続部１２０における金属製の回動軸５５内の空間５５ｉに挿通されたケーブル３０ｓ、３０ｍを介して駆動電力が出力される。尚、ケーブル３０ｓ、３０ｍが、金属製の回動軸５５内の空間５５ｉに挿通されていることにより、ケーブル３０ｓ、３０ｍからの放射ノイズは、回動軸５５により遮蔽されるようになっている。
【００６８】
また、記録制御回路３１、表示素子制御回路３２、撮像素子制御回路３３へは、映像表示装置４の内部４ｉにおいて、ケーブル３０ｖを介して駆動電力が出力される。
【００６９】
また、給電制御回路３０は、上述した電源スイッチ２２を含んで構成されており、電源スイッチ２２によりオン／オフが行われる。尚、バッテリ３４は、繰り返し充電して使用することができる二次電池から構成されている。
【００７０】
撮像素子１７により撮像された被検部位５０の像は、撮像素子１７から、撮像素子１７に一端が接続され、撮像素子制御回路３３に他端が接続された撮像ケーブル５８によって、撮像素子制御回路３３に出力される。
【００７１】
尚、撮像ケーブル５８も、接続部１２０において、回動軸５５内の空間５５ｉに挿通されている。また、撮像ケーブル５８は、映像表示装置４の回動によって、捻れたとしても、撮像素子１７及び撮像素子制御回路３３に対する、例えば半田による接続が外れてしまうことがないよう、図７に示すように、操作部本体９内及び映像表示装置４内において回動軸５５の近傍に対向して設けられた一対のクランプ部材５６によって、中途部位が保持されている。
【００７２】
撮像素子制御回路３３は、撮像素子１７によって撮像された被検部位５０の像を信号化して、記録制御回路３１及び表示素子制御回路３２へ出力する。
【００７３】
記録制御回路３１には、ＸＤピクチャーカード等の記録媒体が着脱自在である。この記録制御回路３１には、操作部本体９に設けられた画像スイッチ１５（図２参照）や、映像表示装置４に設けられた静止画像記録切替スイッチ２４及び動画像記録切替スイッチ２５（いずれも図１参照）からの入力信号が供給される。
【００７４】
これら各種スイッチからの入力信号に応じて、記録制御回路３１は、内視鏡画像の信号を静止画、或いは動画として記録、再生、静止する等の制御を行う。つまり、記録制御回路３１は、撮像素子制御回路３３によって信号化された被検部位５０の像を、記録媒体に格納し、その格納した信号を、再生、静止等の画像再生スイッチ１５ｂによる指示信号の入力に応じて、表示素子制御回路３２へ出力する。
【００７５】
表示素子制御回路３２は、記録制御回路３１、或いは撮像素子制御回路３３からの信号を映像化して、モニタ部２１に内視鏡画像を表示させる。また、記録制御回路３１は、給電制御回路３０へ、各種スイッチ１５、２４、２５からの信号入力に応じて、ＬＥＤ１６、撮像素子１７、及び撮像素子制御回路３３に対し、電力供給の指示信号を供給する。
【００７６】
このように構成された内視鏡１は、電源スイッチ２２がオンされると、映像表示装置４の給電制御回路３０からそれぞれ電力が供給され、画像再生モードで起動された後、モニタ部２１に記録制御回路３１に記録されている画像が表示される。尚、この状態では、ＬＥＤ１６及び撮像素子１７には、給電制御回路３０から電力が供給されない。
【００７７】
その後、例えば、術者によって静止画像記録切替スイッチ２４がオンされ静止画記録待機状態となると、ＬＥＤ１６及び撮像素子１７にも、給電制御回路３０から電力が供給され、観察中の画像が、撮像素子１７から撮像素子制御回路３３、表示素子制御回路３２、モニタ部２１の順に伝達され、モニタ部２１にリアルタイムに表示される。
【００７８】
この状態で、静止画を記録する場合は、術者によって画像記録スイッチ１５ａがオンされると、撮像素子制御回路３３から記録制御回路３１に画像信号が取り込まれ、記録制御回路３１の記録媒体である内部メモリに静止画が記録される。尚、記録後は、自動的に、再度モニタ部２１に観察中の画像が表示される。
【００７９】
その後、術者により画像再生スイッチ１５ｂがオンされると、記録制御回路３１から表示素子制御回路３２に画像信号が出力され、記録された静止画像がモニタ部２１に表示される。その後、術者により、画像再生スイッチ１５ｂがオフされると、モニタ部２１には、静止画像の表示に変わって、観察中の画像が表示される。
【００８０】
また、この状態で、術者により、動画像記録切替スイッチ２５がオンされると、動画記録待機状態となり、この場合も、観察中の画像が、撮像素子１７から撮像素子制御回路３３、表示素子制御回路３２、モニタ部２１の順に伝達され、モニタ部２１にリアルタイムに表示される。
【００８１】
この状態で、動画を記録する場合は、術者により画像記録スイッチ１５ａがオンされると、前述と同様に記録制御回路３１の内部メモリに動画が記録される。
【００８２】
動画記録中は、撮像素子制御回路３３あるいは記録制御回路３１のいずれかより表示素子制御回路３２にリアルタイムに画像信号が出力され、観察画像がモニタ部２１にリアルタイムで表示される。
【００８３】
その後、術者により、画像記録スイッチ１５ａがオフされると、記録が停止し、モニタ部２１には、動画像の表示に変わって、観察中の画像が表示される。続いて、動画再生を行う場合には、術者により画像再生スイッチ１５ｂがオンされると、静止画再生と同様の動画再生の制御が行われる。動画再生終了時は、前述の静止画再生終了と同様な制御が行われ、上述の起動時の状態に戻る。
【００８４】
次に、このように構成された本実施の形態の作用について説明する。尚、以下に示す作用は、ＬＥＤ１６の操作部３内における放熱方法及び給電制御回路３０の映像表示装置４内における放熱方法の作用について説明する。
【００８５】
先ず、内視鏡１の電源スイッチ２２がオンされ後、静止画像記録切替スイッチ２４または動画像記録切替スイッチ２５がオンされると、映像表示装置４の給電制御回路３０からケーブル３０ｓを介してＬＥＤ１６に電力が供給される。その結果、ＬＥＤ１６は発光を開始し、該ＬＥＤ１６により発光された照明光は、ライドガイドバンドル３５を介して、照明レンズ３６により、体腔内の被検部位５０に向けて所定の範囲に照射される。
【００８６】
この際、２枚の金属フレーム８０間において固定された発光手段固定部材７０の貫通孔７０ｂ内において、ＬＥＤ１６の発光に伴いＬＥＤ１６から熱Ｎが放熱される。該貫通孔７０ｂ内に放熱されたＬＥＤ１６の熱Ｎは、ＬＥＤベース７６が金属部材から形成され、発光手段固定部材７０が伝熱部材から形成されていることにより、発光手段固定部材７０の貫通孔７０ａの外周の一部が密着する吸引管路１００に対し、ＬＥＤベース７６、発光手段固定部材７０を介して熱伝達される（図５参照）。
【００８７】
その後、吸引ボタン１１ａがオンされ、吸引口金１１に接続された吸引装置が駆動されることにより、吸引管路１００の内部の流路には、体腔内から吸引された体液や痰等の流体が流れる。よって、ＬＥＤ１６から放熱された熱Ｎは、吸引管路１００の内部の流路を流れる流体に吸熱され、該流体とともに、吸引口金１１から、内視鏡１外に排出される。
【００８８】
即ち、内視鏡１の前面１ｚ側に位置する術者に対し離間する方向である内視鏡１の背面１ｈ側に設けられた吸引口金１１から、熱Ｎは、内視鏡１外に排出される。
【００８９】
また、内視鏡１の電源スイッチ２２がオンされると、駆動に伴い給電制御回路３０からも熱Ｎが放熱される。この際、給電制御回路３０は、映像表示装置４の外装部材４ｇにより閉塞された内部４ｉにおいて、術者が観察するモニタ部２１の裏面側、具体的には、外装部材４ｇの背面４ｂ側に位置するよう設けられていることにより、熱Ｎは、図９に示すように、術者から離間する放熱部を構成する背面４ｂから、術者に対して、離間する方向に排出される。
【００９０】
尚、このことは、映像表示装置４において、モニタ部２１が挿入部２の挿入軸方向Ｊである上面を指向する方向に位置していても、挿入軸方向Ｊと略直交する方向Ｐである内視鏡１の前面１ｚ側を指向する方向に位置していても同様である。
【００９１】
このように、本実施の形態においては、ＬＥＤ１６を操作部３の把持部８における外装部材３ｇにより水密的に覆われた空間内に配設するに際し、外装部材３ｇに固定された２枚の金属フレーム８０間に、伝熱部材から形成された発光手段固定部材７０が固定され、該発光手段固定部材７０に、貫通孔７０ａ、７０ｂが形成され、貫通孔７０ｂに、ＬＥＤ１６を配置し、貫通孔７０ａに、吸引管路１００を挿通させると示した。
【００９２】
また、給電制御回路３０を、映像表示装置４の外装部材４ｇによって覆われた内部４ｉに配設するに際し、給電制御回路３０を、内部４ｉにおいて、モニタ部２１よりも外装部材４ｇの背面４ｂ側に配設すると示した。
【００９３】
このことによれば、ＬＥＤ１６が、発光に伴い発熱した際、該熱Ｎは、発光手段固定部材７０における熱伝導を介して、吸引管路１００に熱伝達され、吸引管路１００を介して、内視鏡１の前面１ｚ側に位置する術者から離間する内視鏡１の背面１ｈ側に設けられた吸引口金１１から放熱されるため、ＬＥＤ１６の熱Ｎを、術者を回避する方向に確実に排出することができる。
【００９４】
また、給電制御回路３０が、駆動に伴い発熱した際、該熱Ｎは、モニタ部２１の背面側となる映像表示装置４の外装部材４ｇの背面４ｂから、内視鏡１の背面１ｈ側に放熱されるため、給電制御回路３０の熱Ｎを、内視鏡１の前面１ｚ側に位置しモニタ部２１を観察する術者を回避する方向に確実に排出することができる。
【００９５】
また、外装部材４ｇの背面４ｂからの放熱の際、給電制御回路３０は背面４ｂに非接触に配設されていることから、背面４ｂが熱され難いため、術者が背面４ｂに熱さにより触れ難くなってしまうことがない。
【００９６】
さらに、ＬＥＤ１６が操作部３内に設けられており、給電制御回路３０が映像表示装置４内に設けられているため、ＬＥＤ１６と給電制御回路３０とが内視鏡１において、離れた場所にそれぞれ設けられていることから、内視鏡１において、ＬＥＤ１６と給電制御回路３０とからの放熱により、局所的に熱されてしまう箇所が形成されてしまうことがない。即ち、内視鏡１において熱Ｎの分散効率が高められることにより、局所的に放熱された熱Ｎにより、術者が暑さによって不快に感じてしまうことがない。
【００９７】
以上から、光源の熱のみならず、給電制御回路３０の熱をも、内視鏡１を使用する術者以外の方向に確実に放熱することができる構成を有する内視鏡１を提供することができる。
【００９８】
尚、以下変形例を示す。図１０は、操作部の一部と映像表示装置との内部の構成の変形例を示す断面図である。
【００９９】
本実施の形態においては、給電制御回路３０は、映像表示装置４の内部４ｉにおいて、モニタ部２１の背面側に設けられていると示した。
【０１００】
これに限らず、モニタ部２１の背面側であれば、図１０に示すように、給電制御回路３０は、内部４ｉにおいて、外装部材４ｇの背面４ｂに対して固定して設けられていても構わない。
【０１０１】
この場合、背面４ｂは、給電制御回路３０が固定されているため本実施の形態よりもより熱されてしまい、術者により背面４ｂが触り難くなってしまうといった問題もあるが、該問題を除けば、本実施の形態よりも、背面４ｂからより積極的に、給電制御回路３０の熱Ｎを放熱させることができる。
【０１０２】
また、本実施の形態においては、ＬＥＤ１６及び撮像素子１７は、操作部３内に配設されていると示したが、これに限らず、挿入部２の先端部５内に配設されている場合に適用しても、本実施の形態と同様の効果を得ることができる。
【０１０３】
さらに、本実施の形態においては、映像表示装置４内に、給電制御回路３０と撮像素子制御回路３３とが別途に設けられている例を示したが、これに限らず、給電制御回路３０と撮像素子制御回路３３とは、一体的に形成されていても構わない。この場合、撮像素子制御回路３３の駆動に伴う熱Ｎをも、より効率的に、外装部材４ｇの背面４ｂ側から術者以外の方向に排出することができる。
【０１０４】
また、本実施の形態においては、給電制御回路３０は、映像表示装置４の内部４ｉに配設されていると示した。これに限らず、操作部３内及び挿入部２内に設けられていても構わない。
【０１０５】
この場合、内視鏡１内に、操作部３内または挿入部２内の給電制御回路３０から、回動軸５５の空間５５ｉを通過して、映像表示装置４の背面４ｂに接続される、例えばヒートシンク等の細長な伝熱部材が設けられておれば、例えば給電制御回路３０がＬＥＤ１６と同じ場所に設けられていたとしても、給電制御回路３０の熱Ｎは、細長な伝熱部材を介して、本実施の形態同様、確実に、映像表示装置４の放熱部となる背面４ｂ側から放熱されることから、本実施の形態と同様の効果を得ることができる。
【０１０６】
また、本実施の形態においては、流体管路は、吸引管路１００を例に挙げて示したが、これに限らず、内視鏡１内に、例えば前方送水管路等の流体が流れる管路が延在されており、該管路の操作部３側の開口が術者以外の方向を指向している場合には、該管路にＬＥＤ１６から放熱された熱Ｎを熱伝達するようにしてもよい。即ち、流体が流れる管路であって、操作部３側の開口が術者以外の方向を指向していれば、どの管路にＬＥＤ１６から放熱された熱Ｎを熱伝達するように構成しても構わない。
【０１０７】
また、本実施の形態においては、内視鏡１は、医療用の内視鏡を例に挙げて示したが、工業用の内視鏡に適用しても本実施の形態と同様の効果を得ることができる。
【図面の簡単な説明】
【０１０８】
【図１】本発明の一実施の形態を示す内視鏡の斜視図。
【図２】図１の内視鏡を図１の背面側から見た部分斜視図。
【図３】図１の内視鏡の映像表示装置が回転自在な状態を示す部分拡大平面図。
【図４】図１の内視鏡の映像表示装置の平面図。
【図５】図１の内視鏡の操作部の内部の構成を概略的に示す部分拡大断面図。
【図６】図１の内視鏡の内部の構成を撮像系と照明光学系とを主体として概略的に示す図。
【図７】図３中のVII-VII線に沿う操作部の一部と映像表示装置との断面図。
【図８】図７中のVIII-VIII線に沿う映像表示装置の断面図。
【図９】図７中のIX-IX線に沿う映像表示装置の断面図。
【図１０】操作部の一部と映像表示装置との内部の構成の変形例を示す断面図。
【符号の説明】
【０１０９】
１…内視鏡
２…挿入部
３…操作部
４…映像表示装置
４ｇ…外装部材
４ｂ…背面
４ｈ…配設面
４ｍ…溝
１５ａ…画像記録スイッチ１５ａ
１５ｂ…画像再生スイッチ１５ｂ
１６…ＬＥＤ
１７…撮像素子
２１…モニタ部
２１Ｃ…カバー部材
２１Ｌ…ＬＣＤ
２１ＬＨ…表示面
２２…電源スイッチ
２４…静止画像記録切替スイッチ
２５…動画像記録切替スイッチ
３０…給電制御回路
３０ｓ…ケーブル
３１…記録制御回路
３３…撮像素子制御回路
５５…回動軸
５５ｉ…空間
７０…照明手段固定部材
７０ａ…貫通孔
７０ｂ…貫通孔
１００…吸引管路
１２０…接続部
Ｊ…挿入軸方向
Ｐ…挿入軸方向と直交する方向
【図１】
2008011992.tif 000003
【図２】
2008011992.tif 000004
【図３】
2008011992.tif 000005
【図４】
2008011992.tif 000006
【図５】
2008011992.tif 000007
【図６】
2008011992.tif 000008
【図７】
2008011992.tif 000009
【図８】
2008011992.tif 000010
【図９】
2008011992.tif 000011
【図１０】
2008011992.tif 000012